Podtech/llm-jp-corpus-v4-ja_patent huggingface dataset:
【手続補正書】
【提出日】平成19年9月26日(2007.9.26)
【手続補正１】
【補正対象書類名】特許請求の範囲
【補正対象項目名】全文
【補正方法】変更
【補正の内容】
【特許請求の範囲】
【請求項１】
（ａ）１種もしくはそれ以上の熱可塑性炭化水素ポリマー、および
（ｂ）（ｉ）ポリ（オキシアルキレン）ポリマーと、
（ｉｉ）フッ化ビニリデンと少なくとも１種の他のモノマーとの共重合単位を有し、フッ化ビニリデンの含有量が８５重量％より多いフルオロポリマーとを含むフルオロポリマー加工助剤を含有する溶融加工可能な組成物。
【請求項２】
請求項１に記載の組成物であって、
(i)前記フルオロポリマー加工助剤におけるポリ（オキシアルキレン）ポリマーとフルオロポリマーとの比が１：１以上である；
(ii)前記溶融加工可能な組成物におけるフルオロポリマーの含有量が４００ｐｐｍ以下である；
(iii)光安定剤、酸化防止剤、粘着防止剤、スリップ剤、潤滑剤、充填剤、難燃剤、発泡剤、成核剤、清澄剤、着色剤、カップリング剤、相溶化剤、静電防止剤、防曇剤、熱安定剤、可塑剤、補強剤、金属捕集剤、酸／塩基掃去剤、殺虫剤またはこれらの組み合わせをさらに含有する；
(iv)フルオロポリマーが熱可塑性ポリマーである；および
(v)これらの組み合わせ
から選ばれる特徴を有する、組成物。
【請求項３】
（ａ）１種もしくはそれ以上の熱可塑性炭化水素ポリマー、および
（ｂ）（ｉ）ポリ（オキシアルキレン）ポリマーと、
（ｉｉ）フッ化ビニリデンと少なくとも１種の他のモノマーとの共重合単位を有し、フッ化ビニリデンの含有量が８５重量％より多いフルオロポリマーとを含むフルオロポリマー加工助剤を含有する溶融加工可能な組成物であって、溶融加工可能な組成物におけるフルオロポリマーの量が２００ｐｐｍ未満である溶融加工可能な組成物。
【請求項４】
（ａ）ポリ（オキシアルキレン）ポリマーと、
（ｂ）フッ化ビニリデンと少なくとも１種の他のモノマーとの共重合単位を有し、フッ化ビニリデンの含有量が８５重量％より多いフルオロポリマーとを含むフルオロポリマー加工助剤。
【手続補正書】
【提出日】平成19年9月7日(2007.9.7)
【手続補正１】
【補正対象書類名】特許請求の範囲
【補正対象項目名】全文
【補正方法】変更
【補正の内容】
【特許請求の範囲】
【請求項１】
（ａ）製品上に光硬化性組成物を適用し；そして（ｂ）前記光硬化性組成物を硬化せしめることを含んでなる、前記製品上における硬化脂環式エポキシ樹脂を含む被覆の靭性を増大させる方法であって、前記光硬化性組成物が有効量の光開始剤及び式：
【化１】
2007510772.tif 000001
［式中、Ｒ1及びＲ2は二価の有機部分であり、同一であっても異なってもよく、そしてＧ1〜Ｇ29は水素、フェニル又は置換もしくは非置換の炭素数１〜１０のアルキルもしくはアルケン基である］
のエポキシ樹脂化合物を含んでなる方法。
【請求項２】
前記脂環式エポキシ樹脂が４０〜９５重量％の脂環式エポキシドカルボン酸エステルと５〜６０重量％のヒドロキシ官能性化合物との反応生成物を含む請求項１に記載の方法。
【請求項３】
Ｒ1が、
【化２】
2007510772.tif 000002
である請求項１に記載の方法。
【請求項４】
Ｒ1が、
【化３】
2007510772.tif 000003
である請求項１に記載の方法。
【請求項５】
Ｒ1及びＲ2がそれぞれ
【化４】
2007510772.tif 000004
である請求項１に記載の方法。
【請求項６】
Ｇ1〜Ｇ29のそれぞれが水素である請求項１に記載の方法。
【請求項７】
有効量の光開始剤並びに下記式：
【化５】
2007510772.tif 000005
［式中、Ｒ1及びＲ2は二価の有機部分であり、同一であっても異なってもよく、そしてＧ1〜Ｇ29は水素、フェニル又は置換もしくは非置換の炭素数１〜１０のアルキルもしくはアルケン基である］
のエポキシ樹脂を含んでなる光硬化性組成物。
【請求項８】
有効量の熱活性化開始剤並びに下記式：
【化６】
2007510772.tif 000006
［式中、Ｒ1及びＲ2は二価の有機部分であり、同一であっても異なってもよく、そしてＧ1〜Ｇ29は水素、フェニル又は置換もしくは非置換の炭素数１〜１０のアルキルもしくはアルケン基である］
のエポキシ樹脂を含んでなる熱硬化性ＬＥＤ封入剤配合物。
【手続補正書】
【提出日】平成19年10月22日(2007.10.22)
【手続補正１】
【補正対象書類名】特許請求の範囲
【補正対象項目名】全文
【補正方法】変更
【補正の内容】
【特許請求の範囲】
【請求項１】
有毛被験体の表面領域で発毛を刺激する方法であって、イチョウ(Ginkgo biloba)由来の少なくとも１種の単離されたフラバノイド又は該フラバノイド類を富化したイチョウ抽出物を該領域に供給することを特徴とする方法。
【請求項２】
前記領域は、少なくとも１種の単離されたフラバノイドで処置される、請求項１に記載の方法。
【請求項３】
前記領域は、フラバノイド類を富化したイチョウ(Ginkgo biloba)抽出物で処置される、請求項１に記載の方法。
【請求項４】
医薬的又は美容的組成物であって、活性成分としてイチョウ(Ginkgo biloba)由来の少なくとも１種の単離フラバノイドを含む組成物。
【請求項５】
医薬的又は美容的組成物であって、活性成分としてフラバノイド類を富化したイチョウ(Ginkgo biloba)の葉の抽出物を含む組成物。
【請求項６】
局所的塗布のために調剤される、請求項４又は５に記載の組成物。
【請求項７】
処置が必要な被験体へ効果的な量の前記組成物を投与する男性型脱毛症の治療用の、請求項４〜６のいずれか一に記載の組成物。
【請求項８】
顔面又は髪型に関する毛の豊かな発毛の促進方法であって、そのような処置が必要な被験体へ効果的な量の請求項４〜６のいずれか一に記載の組成物を投与することを特徴とする方法。
【請求項９】
処置が必要な被験体へ効果的な量の前記組成物を投与する放射線又は化学療法を原因とする脱毛症の治療用の、請求項４〜６のいずれか一に記載の組成物。
【請求項１０】
組成物の発毛刺激能力を試験する方法であって、該組成物のプロテアソームのプロテアーゼ活性阻害能の評価を含み、それによって該活性を阻害する組成物は発毛刺激能力があると確認又は検証され；
該組成物は、イチョウ(Ginkgo biloba)由来の少なくとも１種のフラバノイド又は該フラバノイド類を富化したイチョウの葉の抽出物を含む、方法。
【請求項１１】
組成物の発毛刺激能力を確認又は検証する方法であって、該組成物を有毛動物の剃った体表面の領域に塗布し、該領域の体毛の再発毛を観察し、それによって該組成物を処置しない対照領域より該領域での発毛が多いという効果がある組成物は、発毛刺激能力があると確認又は検証され、
該組成物は、イチョウ(Ginkgo biloba)由来の少なくとも１種のフラバノイド又は該フラバノイド類を富化したイチョウの葉の抽出物を含む、方法。
【手続補正書】
【提出日】平成19年8月1日(2007.8.1)
【手続補正１】
【補正対象書類名】特許請求の範囲
【補正対象項目名】全文
【補正方法】変更
【補正の内容】
【特許請求の範囲】
【請求項１】
水と、乳酸エチルと、第四級アンモニウム塩成分とを含む有効な量の溶媒成分において、
殺虫剤として有効な量のジノテフランと、昆虫成長を阻止するのに有効な量のピリプロキシフェンとを合わせることにより配合された殺虫剤であって、
第四級アンモニウム塩成分は、塩化オレイルジメチルアンモニウム、塩化セチルトリメチルアンモニウム、又は塩化タローアルキルトリメチルアンモニウムを含み、
前記溶媒成分はエタノールを含んでもよく、
前記溶媒成分が、第四級アンモニウム塩成分を含まない溶媒成分におけるピリプロキシフェンの溶解力と比較して前記溶媒成分におけるピリプロキシフェンの溶解力を高め且つ第四級アンモニウム塩成分を含まない殺虫剤の有効性と比較して殺虫剤の有効性を増大させるのに充分な量の第四級アンモニウム塩成分を含む、前記殺虫剤。
【請求項２】
水と、乳酸エチルと、第四級アンモニウム塩成分とを含む有効な量の溶媒成分において、
殺虫剤として有効な量のアセタミプリドと、昆虫成長を阻止するのに有効な量のピリプロキシフェンとを合わせることにより配合された殺虫剤であって、
第四級アンモニウム塩成分は、塩化オレイルジメチルアンモニウム、塩化セチルトリメチルアンモニウム、又は塩化タローアルキルトリメチルアンモニウムを含み、
前記溶媒成分はエタノールを含んでもよく、
前記溶媒成分が、第四級アンモニウム塩成分を含まない溶媒成分におけるピリプロキシフェンの溶解力と比較して前記溶媒成分におけるピリプロキシフェンの溶解力を高め且つ第四級アンモニウム塩成分を含まない殺虫剤の有効性と比較して殺虫剤の有効性を増大させるのに充分な量の第四級アンモニウム塩成分を含む、前記殺虫剤。
【請求項３】
水と、乳酸エチルと、第四級アンモニウム塩成分とを含む有効な量の溶媒成分において、
殺虫剤として有効な量のジノテフランと、昆虫成長を阻止するのに有効な量のメトプレンとを合わせることにより配合された殺虫剤であって、
第四級アンモニウム塩成分は、塩化オレイルジメチルアンモニウム、塩化セチルトリメチルアンモニウム、又は塩化タローアルキルトリメチルアンモニウムを含み、
前記溶媒成分はエタノールを含んでもよく、
前記溶媒成分が、第四級アンモニウム塩成分を含まない溶媒成分におけるメトプレンの溶解力と比較して前記溶媒成分におけるメトプレンの溶解力を高め且つ第四級アンモニウム塩成分を含まない殺虫剤の有効性と比較して殺虫剤の有効性を増大させるのに充分な量の第四級アンモニウム塩成分を含む、前記殺虫剤。
【請求項４】
水と、乳酸エチルと、第四級アンモニウム塩成分とを含む有効な量の溶媒成分において、
殺虫剤として有効な量のアセタミプリドと、昆虫成長を阻止するのに有効な量のメトプレンとを合わせることにより配合された殺虫剤であって、
第四級アンモニウム塩成分は、塩化オレイルジメチルアンモニウム、塩化セチルトリメチルアンモニウム、又は塩化タローアルキルトリメチルアンモニウムを含み、
前記溶媒成分はエタノールを含んでもよく、
前記溶媒成分が、第四級アンモニウム塩成分を含まない溶媒成分におけるメトプレンの溶解力と比較して前記溶媒成分におけるメトプレンの溶解力を高め且つ第四級アンモニウム塩成分を含まない殺虫剤の有効性と比較して殺虫剤の有効性を増大させるのに充分な量の第四級アンモニウム塩成分を含む、前記殺虫剤。
【手続補正書】
【提出日】平成19年10月24日(2007.10.24)
【手続補正１】
【補正対象書類名】特許請求の範囲
【補正対象項目名】全文
【補正方法】変更
【補正の内容】
【特許請求の範囲】
【請求項１】
式（Ｉ）：
【化１】
2007510720.tif 000001
（Ｉ）
で示される化合物、またはその医薬的に許容される塩
［式中、Ｘは、ＯＨ、Ｃ１−Ｃ４アルコキシ、ＮＨ２、またはＮＨ（Ｃ１−Ｃ４アルキル）であり、
Ｒｘは、Ｈ、またはＣ１−Ｃ４アルキルであり、
Ｒｙは、Ｈ、またはＣ１−Ｃ４アルキルであり、
それぞれのＲｚ基は、３つまでのＲｚ基がＣ１−Ｃ４アルキルであってよいという条件で、独立してＨまたはＣ１−Ｃ４アルキルであり、
Ｒ１は、Ｃ１−Ｃ６アルキル（所望により、１つ、２つ、もしくは３つのハロゲン原子で、および／またはＣ１−Ｃ４アルキルチオ（所望により、１つ、２つ、または３つのフッ素原子で置換されている）、Ｃ１−Ｃ４アルコキシ（所望により、１つ、２つ、または３つのフッ素原子で置換されている）、Ｃ３−Ｃ６シクロアルコキシ、Ｃ１−Ｃ４アルキルスルホニル、シアノ、−ＣＯ−Ｏ（Ｃ１−Ｃ２アルキル）、−Ｏ−ＣＯ−（Ｃ１−Ｃ２アルキル）、およびヒドロキシから選択される１つの置換基で置換されている）；Ｃ２−Ｃ６アルケニル（所望により、１つ、２つ、または３つのハロゲン原子で置換されている）；シクロアルキル部分内の１つのＣ−Ｃ結合が、所望によりＯ−Ｃ、Ｓ−Ｃ、またはＣ＝Ｃ結合によって置換されているＣ３−Ｃ６シクロアルキル（所望により、１つ、２つ、または３つのハロゲン原子で、および／またはＣ１−Ｃ４アルコキシおよびヒドロキシから選択される１つの置換基で置換されている）；シクロアルキル部分内の１つのＣ−Ｃ結合が、所望によりＯ−Ｃ、Ｓ−Ｃ、またはＣ＝Ｃ結合によって置換されているＣ４−Ｃ７シクロアルキルアルキル（所望により、１つ、２つ、または３つのハロゲン原子で、および／またはＣ１−Ｃ４アルコキシおよびヒドロキシから選択される１つの置換基で置換されている）；またはＣＨ２Ａｒ２であり、
Ａｒ１、およびＡｒ２は、それぞれ独立して、フェニル環または５もしくは６員のヘテロアリール環であり{そのそれぞれが、所望により（利用できる置換位置の数に応じて）１つ、２つ、または３つの置換基（それぞれ独立してＣ１−Ｃ４アルキル（所望により、１つ、２つ、または３つのハロゲン原子で置換されている）、Ｃ１−Ｃ４アルコキシ（所望により、１つ、２つ、または３つのハロゲン原子で置換されている）、Ｃ１−Ｃ４アルキルチオ（所望により、１つ、２つ、または３つのハロゲン原子で置換されている）、−ＣＯ−Ｏ（Ｃ１−Ｃ４アルキル）、シアノ、−ＮＲＲ、−ＣＯＮＲＲ、ハロ、およびヒドロキシから選択される）；および／またはピリジル、チオフェニル、フェニル、ベンジル、およびフェノキシから選択される１つの置換基（そのそれぞれが、それぞれ独立してハロゲン、Ｃ１−Ｃ４アルキル（所望により、１つ、２つ、または３つのハロゲン原子で置換されている）、Ｃ１−Ｃ４アルコキシ（所望により、１つ、２つ、または３つのハロゲン原子で置換されている）、カルボキシ、ニトロ、ヒドロキシ、シアノ、−ＮＲＲ、−ＣＯＮＲＲ、ＳＯ２ＮＲＲ、およびＳＯ２Ｒから選択される１つ、２つ、または３つの置換基で環置換されている。)で置換されている}、
それぞれのＲは、独立してＨまたはＣ１−Ｃ４アルキルである。］。
【請求項２】
式（ＩＩ）：
【化２】
2007510720.tif 000002
（ＩＩ）
で示される請求項１記載の化合物、またはその医薬的に許容される塩
［式中、Ｘ、Ｒｘ、Ｒｙ、Ｒｚ、Ｒ１、およびＡｒ１は、請求項１で式（Ｉ）について定義したとおりである。］。
【請求項３】
式（ＶＩ）：
【化３】
2007510720.tif 000003
（ＶＩ）
で示される請求項１記載の化合物、またはその医薬的に許容される塩
［式中、Ｒ１はＣ１−Ｃ６アルキル（所望により、１つ、２つ、または３つのフッ素原子で置換されている）、またはシクロアルキル部分内の１つのＣ−Ｃ結合が所望によりＯ−Ｃ結合によって置換されたＣ３−Ｃ６シクロアルキルであり；
Ｒ２は、Ｃ１−Ｃ４アルキル（所望により、１つ、２つ、または３つのフッ素原子で置換されている）、Ｃ１−Ｃ４アルコキシ（所望により、１つ、２つ、または３つのフッ素原子で置換されている）、またはフェニル（所望により、１つ、２つ、または３つのフッ素原子で置換されている）であり、
Ｒ５は、ＨまたはＦである。］。
【請求項４】
式：
【化４】
2007510720.tif 000004
で示される請求項１記載の化合物、またはその医薬的に許容される塩。
【請求項５】
式：
【化５】
2007510720.tif 000005
で示される請求項４記載の化合物、またはその医薬的に許容される塩。
【請求項６】
請求項４または請求項５に記載の化合物の塩酸塩。
【請求項７】
請求項１〜５のいずれかに記載の化合物、またはその医薬的に許容される塩を、医薬的に許容される希釈剤、賦形剤、または担体と共に含む医薬組成物。
【請求項８】
式（ＸＩＶ）：
【化６】
2007510720.tif 000006
（ＸＩＶ）
［式中、Ｐは、Ｎ保護基を表し、その他の全ての変数は、請求項１で式（Ｉ）について定義されたとおりである。］
で示される化合物を脱保護して式（Ｉ）の化合物を得、
所望により、次いで医薬的に許容される塩を形成する
工程を含む式（Ｉ）の化合物の製造方法。
【請求項９】
式（ＸＩＶ）：
【化７】
2007510720.tif 000007
（ＸＩＶ）
［式中、Ｐは、Ｎ保護基を表し、その他の全ての変数は、請求項１で式（Ｉ）について定義されたとおりである。］
で示される化合物、またはその塩。
【請求項１０】
Ｐがベンジル基である請求項９記載の化合物またはその塩。
【手続補正書】
【提出日】平成19年4月13日(2007.4.13)
【手続補正１】
【補正対象書類名】特許請求の範囲
【補正対象項目名】全文
【補正方法】変更
【補正の内容】
【特許請求の範囲】
【請求項１】
下記式Ｉの構造を有する化合物、その医薬的に許容しうる塩、エステル、又はプロドラッグ形態の化合物：
【化１】
2007510718.tif 000001
（式中、
Ｒ1はＯMe又はＲ2Ｒ3Ｎであり（Ｒ2及びＲ3は、独立的にＨ、Ｃ1-Ｃ8アルキル、Ｃ2-Ｃ8アルケニル、Ｃ2-Ｃ8アルキニル、シクロアルキル、ヘテロ環、アリール、又はヘテロアリールであり；或いはＲ2及びＲ3が、それらが結合している窒素と一緒に置換若しくは無置換３、４、５、６、又は７員環を形成している）；かつ
Ｒ4はＨ又はＣＨ2Ｃ(=Ｏ)Ｒ5である（Ｒ5は置換若しくは無置換フェニル基である））。
【請求項２】
Ｒ4がＨである、請求項１記載の化合物。
【請求項３】
Ｒ1がMeＯである、請求項２記載の化合物。
【請求項４】
Ｒ1がＲ2Ｒ3Ｎであり、式中、Ｒ2はＨであり、かつＲ3は置換Ｃ1-Ｃ3アルキルである、請求項２記載の化合物。
【請求項５】
その置換基が、フルオロ、シクロアルキルアミノ、ジアルキルアミノ、少なくとも１個の窒素環原子を有するヘテロシクロ、及び少なくとも１個の窒素環原子を有するヘテロアリールから成る群より選択される、請求項４記載の化合物。
【請求項６】
Ｒ1がＲ2Ｒ3Ｎであり、式中、Ｒ2はＨであり、かつＲ3はアリルである、請求項２記載の化合物。
【請求項７】
Ｒ1がＲ2Ｒ3Ｎであり、式中、Ｒ2及びＲ3はそれぞれＨである、請求項２記載の化合物。
【請求項８】
Ｒ1がＲ2Ｒ3Ｎであり、式中、Ｒ2及びＲ3は、それらが結合している窒素と一緒に置換若しくは無置換の３、４、５、６、又は７員環を形成している、請求項２記載の化合物。
【請求項９】
Ｒ1が、以下の基から成る群より選択される、請求項２記載の化合物。
【化２】
2007510718.tif 000002
【請求項１０】
Hsp90結合のＫdが４μM以下である、請求項２記載の化合物。
【請求項１１】
SKBr3細胞に対するIC50が300nM以下である、請求項２記載の化合物。
【請求項１２】
下記式I-bの構造を有する、請求項１記載の化合物。
【化３】
2007510718.tif 000003
【請求項１３】
下記式I-iの構造を有する、請求項１記載の化合物。
【化４】
2007510718.tif 000004
【請求項１４】
下記式I-jの構造を有する、請求項１記載の化合物。
【化５】
2007510718.tif 000005
【請求項１５】
請求項１記載の構造を有する化合物を含有することを特徴とする標的細胞の増殖阻害用組成物。
【請求項１６】
標的細胞が、乳癌、肺癌、卵巣癌、又は白血病細胞である、請求項１５記載の組成物。
【請求項１７】
請求項１記載の化合物を含有することを特徴とする過剰増殖性疾患の治療用組成物。
【請求項１８】
過剰増殖性疾患が、乳癌、肺癌、卵巣癌、又は白血病である請求項１７記載の組成物。
【請求項１９】
過剰増殖性疾患の治療用薬物製造のための請求項１記載の化合物の使用。
【請求項２０】
過剰増殖性疾患が、乳癌、肺癌、卵巣癌、又は白血病である、請求項１９記載の使用。
【手続補正書】
【提出日】平成19年10月22日(2007.10.22)
【手続補正１】
【補正対象書類名】特許請求の範囲
【補正対象項目名】全文
【補正方法】変更
【補正の内容】
【特許請求の範囲】
【請求項１】
１種又は複数の封入状又は粒子状の活性化合物を含有する過敏性反応の治療剤であって、前記治療剤が３０ｎｍから１μｍの範囲内の大きさであることを特徴とする過敏性反応の治療剤。
【請求項２】
過敏性反応が、補体活性化関連偽アレルギー（ＣＡＲＰＡ）である請求項１記載の過敏性反応の治療剤。
【請求項３】
１種又は複数の活性化合物の少なくとも１種が、ビスホスホネートである請求項１又は２記載の過敏性反応の治療剤。
【請求項４】
ビスホスホネートが、アレンドロネート、パミドロネート、クロンドロネート、エチドロネート、及びチルドロネートからなる群から選択される請求項３記載の過敏性反応の治療剤。
【請求項５】
ビスホスホネートが、アレンドロネートである請求項４記載の過敏性反応の治療剤。
【請求項６】
治療剤が、リポソームビスホスホネートである請求項１記載の過敏性反応の治療剤。
【請求項７】
ビスホスホネートが、アレンドロネートである請求項６記載の過敏性反応の治療剤。
【請求項８】
１種又は複数の封入状又は粒子状の活性化合物を含有する過敏性反応の治療剤であって、前記治療剤が３０ｎｍから１μｍの範囲内の大きさであり、補体活性化医薬組成物を投与されている患者に過敏性反応を誘発することなく治療するための過敏性反応の治療剤。
【請求項９】
１種又は複数の活性化合物の少なくとも１種が、ビスホスホネートである請求項８記載の過敏性反応の治療剤。
【請求項１０】
ビスホスホネートが、アレンドロネート、パミドロネート、クロンドロネート、エチドロネート、及びチルドロネートからなる群から選択される請求項９記載過敏性反応の治療剤。
【請求項１１】
ビスホスホネートが、アレンドロネートである請求項１０記載の過敏性反応の治療剤。
【請求項１２】
治療剤が、リポソームビスホスホネートである請求項８記載の過敏性反応の治療剤。
【請求項１３】
ビスホスホネートが、アレンドロネートである請求項１２記載の過敏性反応の治療剤。
【請求項１４】
補体活性化医薬組成物が、パクリタキセル、又はその薬剤誘導体であることを特徴とする請求項８〜１３のいずれかに記載の過敏性反応の治療剤。
【請求項１５】
補体活性化医薬組成物が、リポソーム製剤であることを特徴とする請求項８〜１４のいずれかに記載の過敏性反応の治療剤。
【請求項１６】
補体活性化医薬組成物が、ドキシルを含むことを特徴とする請求項８〜１５のいずれかに記載の過敏性反応の治療剤。
【請求項１７】
ｉ）ビスホスホネート、金、ガリウム、ガドリニウム、及びセレンからなる群から選択される活性化合物、ii）カプセル化剤、及びiii）薬剤として許容される賦形剤を含む薬剤組成物。
【請求項１８】
ビスホスホネートが、ジェミナルビスホスホネートを含む請求項１７に記載の組成物。
【請求項１９】
ビスホスホネートが、アレンドロネート、パミドロネート、クロンドロネート、エチドロネート、及びチルドロネートからなる群から選択される請求項１７に記載の組成物。
【請求項２０】
ビスホスホネートが、アレンドロネートである請求項１９に記載の組成物。
【請求項２１】
カプセル化剤が、リポソームである請求項１７〜２０のいずれかに記載の組成物。
【請求項２２】
活性化合物が、カプセル化剤によってカプセル化されており、３０ｎｍから１μｍの範囲内の大きさである請求項１７〜２１のいずれかに記載の組成物。
【請求項２３】
ｉ）ビスホスホネート、金、ガリウム、ガドリニウム、及びセレンからなる群から選択される粒子状活性化合物、及びii）薬剤として許容される賦形剤を含む薬剤組成物。
【請求項２４】
ビスホスホネートが、ジェミナルビスホスホネートを含む請求項２３に記載の組成物。
【請求項２５】
ビスホスホネートが、アレンドロネート、パミドロネート、クロンドロネート、エチドロネート、及びチルドロネートからなる群から選択される請求項２３に記載の組成物。
【請求項２６】
ビスホスホネートが、アレンドロネートである請求項２５に記載の組成物。
【請求項２７】
粒子状活性化合物が、３０ｎｍから１μｍの範囲内の大きさである請求項２３〜２６のいずれかに記載の組成物。
【請求項２８】
マクロファージ若しくは単球の活性を低減又は阻害するか、或いはマクロファージ若しくは単球の量を低減するか又はマクロファージ若しくは単球を除去する活性化合物であって、かつ封入状又は粒子状の活性化合物を１種又は複数含有する過敏性反応の治療剤。
【請求項２９】
過敏性反応が、補体活性化関連偽アレルギー（ＣＡＲＰＡ）である請求項２８記載の過敏性反応の治療剤。
【請求項３０】
１種又は複数の活性化合物の少なくとも１種が、ビスホスホネートである請求項２８又は２９記載の過敏性反応の治療剤。
【請求項３１】
ビスホスホネートが、アレンドロネート、パミドロネート、クロンドロネート、エチドロネート、及びチルドロネートからなる群から選択される請求項３０記載の過敏性反応の治療剤。
【請求項３２】
ビスホスホネートが、アレンドロネートである請求項３１記載の過敏性反応の治療剤。
【請求項３３】
治療剤が、リポソームビスホスホネートである請求項２８記載の過敏性反応の治療剤。
【請求項３４】
ビスホスホネートが、アレンドロネートである請求項３３記載の過敏性反応の治療剤。
【請求項３５】
封入状又は粒子状の活性化合物が、３０ｎｍから１μｍの範囲内の大きさである請求項２８、又は３０〜３４のいずれか記載の過敏性反応の治療剤。
【請求項３６】
マクロファージ若しくは単球の活性を低減又は阻害するか、或いはマクロファージ若しくは単球の量を低減するか又はマクロファージ若しくは単球を除去する活性化合物であり、かつ封入状又は粒子状の活性化合物を１種又は複数含有する過敏性反応の治療剤であって、補体活性化医薬組成物を投与されている患者に過敏性反応を誘発することなく治療するための過敏性反応の治療剤。
【請求項３７】
１種又は複数の活性化合物の少なくとも１種が、ビスホスホネートである請求項３６記載の過敏性反応の治療剤。
【請求項３８】
ビスホスホネートが、アレンドロネート、パミドロネート、クロンドロネート、エチドロネート、及びチルドロネートからなる群から選択される請求項３７記載の過敏性反応の治療剤。
【請求項３９】
ビスホスホネートが、アレンドロネートである請求項３８記載の過敏性反応の治療剤。
【請求項４０】
治療剤が、リポソームビスホスホネートである請求項３６記載の過敏性反応の治療剤。
【請求項４１】
ビスホスホネートが、アレンドロネートである請求項４０記載の過敏性反応の治療剤。
【請求項４２】
補体活性化医薬組成物が、パクリタキセル、ドキシル、又はそれらの薬剤誘導体を含有することを特徴とする請求項３６、又は３７〜４１のいずれか記載の過敏性反応の治療剤。
【請求項４３】
補体活性化医薬組成物が、リポソーム製剤であることを特徴とする請求項３６又は３７〜４２のいずれか記載の過敏性反応の治療剤。
【請求項４４】
封入状又は粒子状の活性化合物が、３０ｎｍから１μｍの範囲内の大きさである請求項３６、又は３７〜４３のいずれか記載の過敏性反応の治療剤。
【手続補正書】
【提出日】平成19年10月9日(2007.10.9)
【手続補正１】
【補正対象書類名】特許請求の範囲
【補正対象項目名】全文
【補正方法】変更
【補正の内容】
【特許請求の範囲】
【請求項１】
改変放出製剤であって、少なくとも一つの酸性安定性担体輸送スタチンまたはその薬学的に許容しうる塩の治療的有効量を含み、該少なくとも一つの酸性安定性担体輸送スタチンを、腸管内および肝内での吸収速度とほぼ同等またはそれ未満である速度で放出する製
剤。
【請求項２】
少なくとも一つの酸性安定性担体輸送スタチンが、アトルバスタチンである、請求項１に記載の製剤。
【請求項３】
少なくとも一つの酸性安定性担体輸送スタチンが、ロスバスタチンである、請求項１に記載の製剤。
【請求項４】
製剤が、
２時間：約４０％と同等またはそれ未満；
４時間：約２０％〜約８０％；および
６時間：約７０％を超える
という酸性安定性担体輸送スタチン放出速度を示す、請求項１に記載の製剤。
【請求項５】
改変放出製剤であって、少なくとも一つの大分子量担体輸送スタチンまたはその薬学的に許容しうる塩の治療的有効量および少なくとも一つの膜透過性促進剤を含み、そして該少なくとも一つの大分子量担体輸送スタチンを、腸管内および肝内での吸収速度とほぼ同等またはそれ未満である速度で放出する製剤。
【請求項６】
少なくとも一つの大分子量担体輸送スタチンが、アトルバスタチンである、請求項５に記載の製剤。
【請求項７】
少なくとも一つの大分子量担体輸送スタチンが、ロスバスタチンである、請求項５に記載の製剤。
【請求項８】
製剤が、
２時間：約４０％と同等またはそれ未満；
４時間：約２０％〜約８０％；および
６時間：約７０％を超える
という大分子量担体輸送スタチン放出速度を示す、請求項５に記載の製剤。
【請求項９】
改変放出製剤であって、少なくとも一つの水溶性に乏しい担体輸送スタチンまたはその薬学的に許容しうる塩の治療的有効量を含み、ここで、溶解度改善方法が、該水溶性に乏しい担体輸送スタチンに適用され、そして該製剤が、該少なくとも一つの水溶性に乏しい担体輸送スタチンを、腸管内および肝内での吸収速度とほぼ同等またはそれ未満である速度で放出する製剤。
【請求項１０】
少なくとも一つの水溶性に乏しい担体輸送スタチンが、アトルバスタチンである、請求項９に記載の製剤。
【請求項１１】
少なくとも一つの水溶性に乏しい担体輸送スタチンが、ロスバスタチンである、請求項９に記載の製剤。
【請求項１２】
製剤が、
２時間：約４０％と同等またはそれ未満；
４時間：約２０％〜約８０％；および
６時間：約７０％を超える
という水溶性に乏しい担体輸送スタチン放出速度を示す、請求項９に記載の製剤。
【手続補正書】
【提出日】平成19年10月29日(2007.10.29)
【手続補正１】
【補正対象書類名】特許請求の範囲
【補正対象項目名】全文
【補正方法】変更
【補正の内容】
【特許請求の範囲】
【請求項１】
フッ素化プロセスから水を除去する方法であって：
ａ）２〜約５個の炭素原子を有する塩素置換されたビニル化合物を含む、少なくとも１種の水反応性物質を提供すること；
ｂ）該フッ素化プロセスに、反応性有機化合物、フッ素化剤および水を含む組成物を提供すること；および、
ｃ）該組成物中の水の濃度を実質的に減少させるのに有効な条件下で、該組成物に、該水反応性物質を導入すること、
を含む、上記方法。
【請求項２】
フッ素化プロセス流から水を除去する方法であって：
ａ）有機化合物、フッ化水素および水を含むプロセス流を提供すること；
ｂ）該プロセス流に、２〜約５個の炭素原子を有する塩素置換されたビニル化合物を導入すること；
ｃ）該塩素置換されたビニル化合物を反応させ、水と反応する中間体を形成させること；および、
ｄ）該中間体を該水で加水分解することによって、該プロセス流から水を除去すること、
を含む、上記方法。
【請求項３】
フッ素化有機化合物の製造方法であって：
ａ．）少なくとも１種の有機反応性化合物を、該有機反応性化合物をフッ素化するのに有効な条件下で反応させ、反応混合物を製造する工程、ここで、該反応混合物は水を含む；および、
ｂ．）該反応混合物に、２〜約５個の炭素原子を有する塩素置換されたビニル化合物を含む水反応性物質を導入する工程、ここで、該水反応性物質は、工程ａ）のフッ素化条件下で該反応混合物から該水の少なくとも実質的な部分を除去するのに有効である、
を含む、上記方法。
【手続補正書】
【提出日】平成19年10月5日(2007.10.5)
【手続補正１】
【補正対象書類名】特許請求の範囲
【補正対象項目名】請求項５７
【補正方法】変更
【補正の内容】
【請求項５７】
前記方法が、水溶液中で無機酸を用いてＰＥＧカルボン酸塩を処理し、該カルボン酸塩をカルボン酸に転換し、かくしてＰＥＧカルボン酸を形成させる段階をさらに含んで成ることを特徴とする、請求項５６に記載の方法。
【手続補正書】
【提出日】平成19年11月2日(2007.11.2)
【手続補正１】
【補正対象書類名】特許請求の範囲
【補正対象項目名】全文
【補正方法】変更
【補正の内容】
【特許請求の範囲】
【請求項１】
抗菌性のないテトラサイクリン調合物を含む、哺乳動物の湿疹の治療のための医薬品組成物。
【請求項２】
哺乳動物が人間である、請求項１に記載の医薬品組成物。
【請求項３】
該組成物が、抗菌性テトラサイクリンを低抗菌性投与量で含む、請求項１に記載の医薬品組成物。
【請求項４】
該組成物が、抗菌性のないテトラサイクリンを含む、請求項１に記載の医薬品組成物。
【請求項５】
該抗菌性テトラサイクリンがドキシサイクリン及びミノサイクリンから成る群より選択される、請求項３に記載の医薬品組成物。
【請求項６】
該抗菌性のないテトラサイクリンがＣＭＴ−３、ＣＭＴ−３０８、ＣＭＴ−８、ＣＭＴ−１０、ＣＭＴ−８０１、ＣＭＴ−８０２、ＣＭＴ−８０３、ＣＭＴ−８０４及びＣＭＴ−１００２から成る群より選択される、請求項４に記載の医薬品組成物。
【請求項７】
湿疹がアトピー性湿疹、接触湿疹、アレルギー性接触湿疹、脂漏性湿疹、貨幣状湿疹、神経皮膚炎、うっ血性皮膚炎及び異汗性湿疹から成る群より選択される、請求項１に記載の医薬品組成物。
【請求項８】
抗菌性のないテトラサイクリン調合物を含む、哺乳動物の非ざ瘡関連性湿疹の治療のための医薬品組成物。
【請求項９】
哺乳動物が人間である、請求項８に記載の医薬品組成物。
【請求項１０】
該抗菌性のないテトラサイクリン調合物が、抗菌性テトラサイクリンを低抗菌性投与量で含む、請求項８に記載の医薬品組成物。
【請求項１１】
該組成物が、抗菌性のないテトラサイクリンを含む、請求項８に記載の医薬品組成物。
【請求項１２】
該抗菌性のテトラサイクリンがドキシサイクリン及びミノサイクリンから成る群より選択される、請求項１０に記載の医薬品組成物。
【請求項１３】
該抗菌性のないテトラサイクリンがＣＭＴ−３、ＣＭＴ−３０８、ＣＭＴ−８、ＣＭＴ−１０、ＣＭＴ−８０１、ＣＭＴ−８０２、ＣＭＴ−８０３、ＣＭＴ−８０４及びＣＭＴ−１００２から成る群より選択される、請求項１１に記載の医薬品組成物。
【請求項１４】
該非ざ瘡関連性湿疹がアトピー性湿疹、接触湿疹、アレルギー性接触湿疹、脂漏性湿疹、貨幣状湿疹、神経皮膚炎、うっ血性皮膚炎及び異汗性湿疹から成る群より選択される、請求項８に記載の医薬品組成物。
【手続補正書】
【提出日】平成19年9月10日(2007.9.10)
【手続補正１】
【補正対象書類名】特許請求の範囲
【補正対象項目名】全文
【補正方法】変更
【補正の内容】
【特許請求の範囲】
【請求項１】
組成物であって、
（ａ）該組成物の全質量に対して約４〜約１０質量％の炭水化物と、
（ｂ）少なくとも約３０ｍＥｑ／Ｌのナトリウムと、
（ｃ）少なくとも約１０ｍＥｑ／Ｌの塩化物と、
（ｄ）少なくとも約３ｍＥｑ／Ｌのカリウムと、
（ｅ）水と、を含有し、
溶液での該組成物の浸透圧は約２５０〜３５０ｍＯｓｍ／Ｋｇであることを特徴とする組成物。
【請求項２】
前記炭水化物は、スクロース、マルトース、マルトデキストリン、グルコース、ガラクトース、トレハロース、フルクトース、フルクト−オリゴ糖、ベータグルカン、三炭糖及びそれらの混合物から選択されることを特徴とする請求項１記載の組成物。
【請求項３】
約３３〜約４０ｍＥｑ／Ｌのナトリウムを含有することを特徴とする請求項１記載の組成物。
【請求項４】
ナトリウムは、塩化ナトリウム及びクエン酸ナトリウムを含むことを特徴とする請求項１記載の組成物。
【請求項５】
約１１〜約１８ｍＥｑ／Ｌの塩化物を含むことを特徴とする請求項１記載の組成物。
【請求項６】
約８〜約２０ｍＥｑ／Ｌのカリウムを含むことを特徴とする請求項１記載の組成物。
【請求項７】
約０．１〜約６．０ｍＥｑ／Ｌのカルシウムを更に含むことを特徴とする請求項１記載の組成物。
【請求項８】
約１〜約６ｍＥｑ／Ｌのマグネシウムを更に含むことを特徴とする請求項１記載の組成物。
【請求項９】
組成物の全質量に対して約０〜約０．４質量％の香料を更に含むことを特徴とする請求項１記載の組成物。
【請求項１０】
約０〜約１００ｐｐｍの不透明化剤を更に含むことを特徴とする請求項１記載の組成物。
【請求項１１】
組成物の全質量に対して約０．２４〜約０．４５質量％のクエン酸を更に含むことを特徴とする請求項１記載の組成物。
【請求項１２】
更に電解質を含むことを特徴とする請求項１記載の組成物。
【請求項１３】
液体、ゲル、乾燥粉末、錠剤、カプセルまたは濃縮物であることを特徴とする請求項１記載の組成物。
【請求項１４】
ｐＨが約２．５〜約４．５の範囲であることを特徴とする請求項１３記載の組成物。
【請求項１５】
ヒトに投与した場合にナトリウムが細胞外液区画を満たすことを特徴とする請求項１記載の組成物。
【請求項１６】
ヒトに投与した場合に塩化物が細胞外液区画を満たすことを特徴とする請求項１記載の組成物。
【請求項１７】
ヒトの脱水症状を緩和するために投与されることを特徴とする請求項１から１６いずれか１項記載の組成物。
【請求項１８】
経口投与または静脈内投与されることを特徴とする請求項１から１７いずれか１項記載の組成物。
【手続補正書】
【提出日】平成19年10月17日(2007.10.17)
【手続補正１】
【補正対象書類名】特許請求の範囲
【補正対象項目名】全文
【補正方法】変更
【補正の内容】
【特許請求の範囲】
【請求項１】
ａ）液体ビヒクルおよびｂ）改質アゾ顔料を含むインクジェット・インク組成物であって、該改質アゾ顔料は、少なくとも一つの第１ジアゾニウム試薬、少なくとも一つの第２ジアゾニウム試薬、および少なくとも一つのアゾ発色剤の反応生成物であり、主として改質アゾ顔料またはインクジェット・インク組成物の安定性を得るか、または保持するように機能する個別の分散剤を含まない、インクジェット・インク組成物。
【請求項２】
第１ジアゾニウム試薬または第２ジアゾニウム試薬が、少なくとも一つのイオン基、少なくとも一つのイオン化基、または少なくとも一つのイオン基と少なくとも一つのイオン化基の混合物を含む、請求項１に記載のインクジェット・インク組成物。
【請求項３】
第１ジアゾニウム試薬または第２ジアゾニウム試薬が少なくとも一つのアルキレン・オキシド基を含む、請求項１に記載のインクジェット・インク組成物。
【請求項４】
液体ビヒクルが水性ビヒクルである、請求項１に記載のインクジェット・インク組成物。
【請求項５】
ａ）液体ビヒクルおよびｂ）改質アゾ顔料を含むインクジェット・インク組成物であって、該改質有色顔料は、少なくとも一つのジアゾニウム試薬、少なくとも一つの第１アゾ発色剤、および少なくとも一つの第２アゾ発色剤の反応生成物であり、主として改質アゾ顔料またはインクジェット・インク組成物の安定性を得るか、または保持するように機能する個別の分散剤を含まない、インクジェット・インク組成物。
【請求項６】
第１アゾ発色剤または第２アゾ発色剤が、少なくとも一つのイオン基、少なくとも一つのイオン化基、または少なくとも一つのイオン基と少なくとも一つのイオン化基の混合物を含む、請求項５に記載のインクジェット・インク組成物。
【請求項７】
第１アゾ発色剤または第２アゾ発色剤が少なくとも一つのアルキレン・オキシド基を含む、請求項５に記載のインクジェット・インク組成物。
【請求項８】
液体ビヒクルが水性ビヒクルである、請求項５に記載のインクジェット・インク組成物。
【請求項９】
ａ）いかなる順番でも、少なくとも一つの第１ジアゾニウム試薬、少なくとも一つの第２ジアゾニウム試薬、および少なくとも一つのアゾ発色剤を混合して改質アゾ顔料を含むスラリーを形成し、
ｂ）スラリーを濾過して改質アゾ顔料プレスケーキを形成し、
ｃ）高剪断条件下でプレスケーキに水性ビヒクルを添加して改質アゾ顔料分散液を形成し、および
ｄ）少なくとも一つの追加成分を改質アゾ顔料分散液に添加するか、または添加せずにインクジェット・インク組成物を形成すると共に、
主として改質アゾ顔料の安定性を得るか、または保持するように機能する個別の分散剤は、段階（ｃ）の改質アゾ顔料分散液または段階（ｄ）のインクジェット・インク組成物には全く添加されない、
段階を含む、インクジェット・インク組成物を調製する方法。
【請求項１０】
ａ）いかなる順番でも、少なくとも一つのジアゾニウム試薬、少なくとも一つの第１アゾ発色剤、および少なくとも一つの第２アゾ発色剤を混合して、改質アゾ顔料を含むスラリーを形成し、
ｂ）スラリーを濾過して改質アゾ顔料プレスケーキを形成し、
ｃ）高剪断条件下でプレスケーキに水性ビヒクルを添加して改質アゾ顔料分散液を形成し、および
ｄ）少なくとも一つの追加成分を改質アゾ顔料分散液に添加するか、または添加せずにインクジェット・インク組成物を形成すると共に、
主として改質アゾ顔料の安定性を得るか、または保持するように機能する個別の分散剤は、段階（ｃ）の改質アゾ顔料分散液または段階（ｄ）のインクジェット・インク組成物には全く添加されない、
段階を含む、インクジェット・インク組成物を調製する方法。
【手続補正書】
【提出日】平成19年9月5日(2007.9.5)
【手続補正１】
【補正対象書類名】明細書
【補正対象項目名】０００１
【補正方法】変更
【補正の内容】
【０００１】
本発明は、少なくとも１種類のジエンゴム、少なくとも１種類の極性フィラーおよびカーボンブラックを含有する、硫黄で加硫できるゴム混合物、特にタイヤトレッド用ゴム混合物に関する。更に本発明は、タイヤトレッドの自動車道路と接触する部分の少なくとも一部分が硫黄で加硫されたゴム混合物より成るタイヤに関する。
【背景技術】
【手続補正２】
【補正対象書類名】明細書
【補正対象項目名】０００５
【補正方法】変更
【補正の内容】
【０００５】
本発明の課題は、タイヤの場合 に良好な摩耗挙動、良好なウエットグリップ性および氷や雪上での良好な牽引性を良好なドライ制動と同時にもたらすタイヤトレッド用ゴム混合物を提供することである。これらの性質については特に高い総合的水準が達成されるべきである。
【課題を解決するための手段】
【手続補正３】
【補正対象書類名】明細書
【補正対象項目名】００１３
【補正方法】変更
【補正の内容】
【００１３】
ゴム混合物は１，５００〜１０，０００ｇ／モルの分子量および１５〜５０％のビニル含有量を有する液体ポリブタジエンを含有する。特に２，０００〜５，０００ｇ／モルの分子量および２０〜３５％のビニル含有量の液体ポリブタジエン、例えば Ricon（Ｒ）130（製造元：Ricon Resins Inc., USA）を使用するのが有利である。この種の液体ポリブタジエンを用いて良好な冬期特性の他に特に良好な摩擦抑制が達成される。液体ポリブタジエンは同時に粘度を下げる作用を果たすので、他の可塑化剤の量を減らすことができる。
【手続補正４】
【補正対象書類名】明細書
【補正対象項目名】００１５
【補正方法】変更
【補正の内容】
【００１５】
ゴム混合物は少なくとも１種類の極性フィラーを含有している。極性フィラーとしては当業者に知られたあらゆるフィラー、例えば水酸化アルミニウムおよび層状珪酸塩を使用できる。しかしながら極性フィラーとしては珪酸を使用するのが有利である。その際に混合物中の珪酸と高構造カーボンブラックとの重量比は１０：１〜１：２である。珪酸は、天然ゴム、合成ポリイソプレン、ポリブタジエンおよびスチレン−ブタジエン−コポリマーより成る群から選択される１００重量部のジエンゴム当たりに２０〜１１０重量部、好ましくは７０〜９０重量部の量で使用できる。珪酸は、タイヤゴム混合物用のフィラーとして適する、当業者に知られている珪酸である。３５〜３５０ｍ２／ｇ、好ましくは１４５〜２７０ｍ２／ｇの窒素表面積（ＢＥＴ−表面積：ＤＩＮ６６１３１および６６１３２ｎｉよる）および３０〜３５０ｍ２／ｇ、好ましくは１２０〜２８５ｍ２／ｇのＣＴＡＢ−表面積（ＡＳＴＭ  Ｄ３７６５による）を有する微細化した沈降珪酸を使用する場合が特に有利である。この種の珪酸は例えばタイヤトレッドのゴム混合物において加硫物の特に良好な物理的性質をもたらす。更に混合物の加工に際して、一様な製品特性の他に混合時間の減少によって改善された生産性をもたらすという長所をもたらすことができる。従って珪酸としては例えばDegussa社の市販品名ＶN ３タイプ並びに高分散珪酸、いわゆるＨＤ−珪酸（例えばDegussa社のUltrasil 7000）を使用することができる。 
【手続補正５】
【補正対象書類名】明細書
【補正対象項目名】００３２
【補正方法】変更
【補正の内容】
【００３２】
a   高シス−ポリブタジエン
b   溶液重合したスチレン−ブタジエン−コポリマー：VSL-5025（製造元： Bayer AG、ドイツ国） 
c   分子量: 2500 g/mol、ビニル含有量: 20-35 %（Ricon（Ｒ）130：製造元： Ricon Resins Inc、米国） 
d   Silika VN 3（製造元：Degussa、ドイツ国） 
混合物の製造は通例の条件のもとで実験室用接線式混合機（Labortangentialmischer）中で二段階で実施する。全ての混合物から試験体を１６０℃で加圧のもとで最適に加硫することによって製造しそしてゴム工業用のこれらの試験体を用いて典型的な材料特性を測定し、表２に総括掲載する。試験体の試験のために以下の試験法を利用した：
・  ＤＩＮ５３５０４に従う室温での引張強度
・  ＤＩＮ５３５０４に従う室温での破断点伸び
・  ＤＩＮ５３５０４に従う室温での１００％、２００％および３００％伸び率での応力値
・  ＤＩＮ５３５０４に従う引張試験で破断エネルギー密度を測定する。その際に破断エネギー密度は破断するまでに必要とされる、試験体の容積を基準とする作業量である。
・  ＤＩＮ５３５０５に従う室温および７０℃でのショアーＡ硬度
・  ＤＩＮ５３５１２に従う室温および７０℃での反撥弾性率
【手続補正書】
【提出日】平成19年11月5日(2007.11.5)
【手続補正１】
【補正対象書類名】特許請求の範囲
【補正対象項目名】全文
【補正方法】変更
【補正の内容】
【特許請求の範囲】
【請求項１】
多発性硬化症に付随する症状を治療又は予防するための医薬組成物であって、デルタ−９−テトラヒドロカンナビノールを含んでなる組成物。
【請求項２】
請求項１に記載の組成物であって、経口投与される組成物。
【請求項３】
請求項１に記載の組成物であって、ゴマ油中に前記デルタ−９−テトラヒドロカンナビノールを含有するカプセルの形である組成物。
【請求項４】
請求項１に記載の組成物であって、該組成物が、鼻腔内溶液又は懸濁液、吸入溶液又は懸濁液、非経口溶液又は懸濁液、経皮パッチ、経皮ゲル及び経皮クリームから成る群より選択される剤形を含んでなる組成物。
【請求項５】
請求項１に記載の組成物であって、該組成物が、錠剤、カプセル、吸入剤、注射可能剤、経皮剤、舌下剤及び座剤から成る群より選択される剤形である組成物。
【請求項６】
請求項５に記載の組成物であって、該組成物が吸入剤の形である組成物。
【請求項７】
請求項６に記載の組成物であって、該吸入剤が経口で投与される組成物。
【請求項８】
請求項５に記載の組成物であって、該カプセルが軟ゼラチン又はＨＰＭＣカプセルである組成物。
【請求項９】
請求項１に記載の組成物であって、該組成物が、１又はそれを越える多発性硬化症療法と組み合わせて投与される組成物。
【請求項１０】
請求項１に記載の組成物であって、該デルタ−９−テトラヒドロカンナビノールがドロナビノールである組成物。
【請求項１１】
請求項１に記載の組成物であって、該組成物が、経口、鼻腔内、吸入、注射、経皮及び舌下から成る群より選択される経路により該患者に投与される組成物。
【請求項１２】
請求項１１に記載の組成物であって、該吸入が経口吸入を含んでなる組成物。
【請求項１３】
請求項１に記載の組成物であって、該組成物が、１日当たり、約２．５ｍｇのデルタ−９−テトラヒドロカンナビノールから約２０ｍｇのデルタ−９−テトラヒドロカンナビノールを提供するのに十分な量で投与される組成物。
【請求項１４】
請求項１に記載の組成物であって、該組成物が、１日当たり、約２．５ｍｇのデルタ−９−テトラヒドロカンナビノールを提供するのに十分な量で投与される組成物。
【請求項１５】
請求項１に記載の組成物であって、該組成物が、１日約１〜約４回投与される組成物。
【請求項１６】
請求項１に記載の組成物であって、該組成物が一回量で投与される組成物。
【請求項１７】
多発性硬化症の再発を予防するための医薬組成物であって、デルタ−９−テトラヒドロカンナビノールを含んでなる組成物。
【手続補正書】
【提出日】平成19年11月6日(2007.11.6)
【手続補正１】
【補正対象書類名】特許請求の範囲
【補正対象項目名】全文
【補正方法】変更
【補正の内容】
【特許請求の範囲】
【請求項１】
哺乳動物被験体において慢性疼痛を処置するための組成物であって、該組成物は、ＣＤ１１ｄに特異的に結合するポリペプチドを含む、組成物。
【請求項２】
前記ポリペプチドが、抗体である、請求項１に記載の組成物。
【請求項３】
前記ポリペプチドが、モノクローナル抗体である、請求項１に記載の組成物。
【請求項４】
前記ポリペプチドが、ハイブリドーマ２１７Ｌ（Ａｍｅｒｉｃａｎ  Ｔｙｐｅ  Ｃｕｌｔｕｒｅ  Ｃｏｌｌｅｃｔｉｏｎ受託番号：ＨＢ−１２７０１）、ハイブリドーマ２２６Ｈ（Ａｍｅｒｉｃａｎ  Ｔｙｐｅ  Ｃｕｌｔｕｒｅ  Ｃｏｌｌｅｃｔｉｏｎ受託番号：ＨＢ−１２５９２）またはハイブリドーマ２３６Ｌ（Ａｍｅｒｉｃａｎ  Ｔｙｐｅ  Ｃｕｌｔｕｒｅ  Ｃｏｌｌｅｃｔｉｏｎ受託番号：ＨＢ−１２５９３）によって分泌される、モノクローナル抗体である、請求項１に記載の組成物。
【請求項５】
前記ポリペプチドが、ハイブリドーマ２１７Ｌ（Ａｍｅｒｉｃａｎ  Ｔｙｐｅ  Ｃｕｌｔｕｒｅ  Ｃｏｌｌｅｃｔｉｏｎ受託番号：ＨＢ−１２７０１）、ハイブリドーマ２２６Ｈ（Ａｍｅｒｉｃａｎ  Ｔｙｐｅ  Ｃｕｌｔｕｒｅ  Ｃｏｌｌｅｃｔｉｏｎ受託番号：ＨＢ−１２５９２）またはハイブリドーマ２３６Ｌ（Ａｍｅｒｉｃａｎ  Ｔｙｐｅ  Ｃｕｌｔｕｒｅ  Ｃｏｌｌｅｃｔｉｏｎ受託番号：ＨＢ−１２５９３）によって分泌されるモノクローナル抗体の軽鎖の、１つ、２つ、および／または３つの相補性決定領域（ＣＤＲ）を含む、請求項１に記載の組成物。
【請求項６】
前記ポリペプチドが、ハイブリドーマ２１７Ｌ（Ａｍｅｒｉｃａｎ  Ｔｙｐｅ  Ｃｕｌｔｕｒｅ  Ｃｏｌｌｅｃｔｉｏｎ受託番号：ＨＢ−１２７０１）、ハイブリドーマ２２６Ｈ（Ａｍｅｒｉｃａｎ  Ｔｙｐｅ  Ｃｕｌｔｕｒｅ  Ｃｏｌｌｅｃｔｉｏｎ受託番号：ＨＢ−１２５９２）またはハイブリドーマ２３６Ｌ（Ａｍｅｒｉｃａｎ  Ｔｙｐｅ  Ｃｕｌｔｕｒｅ  Ｃｏｌｌｅｃｔｉｏｎ受託番号：ＨＢ−１２５９３）によって分泌されるモノクローナル抗体の重鎖の、１つ、２つ、および／または３つの相補性決定領域（ＣＤＲ）を含む、請求項１に記載の組成物。
【請求項７】
前記ポリペプチドが、
ハイブリドーマ２１７Ｌ、２２６Ｈまたは２３６Ｌによって分泌されたモノクローナル抗体の重鎖の、１つ、２つ、および／または３つの相補性決定領域（ＣＤＲ）、ならびに、
ハイブリドーマ２１７Ｌ（Ａｍｅｒｉｃａｎ  Ｔｙｐｅ  Ｃｕｌｔｕｒｅ  Ｃｏｌｌｅｃｔｉｏｎ受託番号：ＨＢ−１２７０１）、ハイブリドーマ２２６Ｈ（Ａｍｅｒｉｃａｎ  Ｔｙｐｅ  Ｃｕｌｔｕｒｅ  Ｃｏｌｌｅｃｔｉｏｎ受託番号：ＨＢ−１２５９２）またはハイブリドーマ２３６Ｌ（Ａｍｅｒｉｃａｎ  Ｔｙｐｅ  Ｃｕｌｔｕｒｅ  Ｃｏｌｌｅｃｔｉｏｎ受託番号：ＨＢ−１２５９３）によって分泌されたモノクローナル抗体の軽鎖の、１つ、２つ、および／または３つの相補性決定領域（ＣＤＲ）
を含む、請求項１に記載の組成物。
【請求項８】
前記ポリペプチドが、ハイブリドーマ２１７Ｌ（Ａｍｅｒｉｃａｎ  Ｔｙｐｅ  Ｃｕｌｔｕｒｅ  Ｃｏｌｌｅｃｔｉｏｎ受託番号：ＨＢ−１２７０１）、ハイブリドーマ２２６Ｈ（Ａｍｅｒｉｃａｎ  Ｔｙｐｅ  Ｃｕｌｔｕｒｅ  Ｃｏｌｌｅｃｔｉｏｎ受託番号：ＨＢ−１２５９２）またはハイブリドーマ２３６Ｌ（Ａｍｅｒｉｃａｎ  Ｔｙｐｅ  Ｃｕｌｔｕｒｅ  Ｃｏｌｌｅｃｔｉｏｎ受託番号：ＨＢ−１２５９３）によって分泌されたモノクローナル抗体によって認識される、ＣＤ１１ｄ上のエピトープを認識する、請求項１に記載の組成物。
【請求項９】
前記ポリペプチドが、ハイブリドーマ２１７Ｌ（Ａｍｅｒｉｃａｎ  Ｔｙｐｅ  Ｃｕｌｔｕｒｅ  Ｃｏｌｌｅｃｔｉｏｎ受託番号：ＨＢ−１２７０１）、ハイブリドーマ２２６Ｈ（Ａｍｅｒｉｃａｎ  Ｔｙｐｅ  Ｃｕｌｔｕｒｅ  Ｃｏｌｌｅｃｔｉｏｎ受託番号：ＨＢ−１２５９２）またはハイブリドーマ２３６Ｌ（Ａｍｅｒｉｃａｎ  Ｔｙｐｅ  Ｃｕｌｔｕｒｅ  Ｃｏｌｌｅｃｔｉｏｎ受託番号：ＨＢ−１２５９３）によって分泌されたモノクローナル抗体と、ＣＤ１１ｄへの結合について競合する、請求項１に記載の組成物。
【請求項１０】
請求項１に記載の組成物であって、前記ポリペプチドが、ハイブリドーマ２１７Ｌ（Ａｍｅｒｉｃａｎ  Ｔｙｐｅ  Ｃｕｌｔｕｒｅ  Ｃｏｌｌｅｃｔｉｏｎ受託番号：ＨＢ−１２７０１）、ハイブリドーマ２２６Ｈ（Ａｍｅｒｉｃａｎ  Ｔｙｐｅ  Ｃｕｌｔｕｒｅ  Ｃｏｌｌｅｃｔｉｏｎ受託番号：ＨＢ−１２５９２）またはハイブリドーマ２３６Ｌ（Ａｍｅｒｉｃａｎ  Ｔｙｐｅ  Ｃｕｌｔｕｒｅ  Ｃｏｌｌｅｃｔｉｏｎ受託番号：ＨＢ−１２５９３）によって分泌されたモノクローナル抗体の、１つ、２つ、３つ、４つ、５つおよび／または６つの相補性決定領域を含み、該ポリペプチドは、モノクローナル抗体、ポリクローナル抗体、単鎖抗体、キメラ抗体、二機能性抗体／二重特異性抗体、ヒト化抗体、ヒト抗体、および相補性決定領域（ＣＤＲ）移植抗体およびペプチド抗体からなる群より選択される、組成物。
【請求項１１】
前記哺乳動物が、ヒトである、請求項１〜１０のいずれか１項に記載の組成物。
【請求項１２】
前記慢性疼痛が、触覚異痛症、神経障害性疼痛、痛覚過敏、痛覚異常鋭敏症、および炎症性疼痛からなる群より選択される、請求項１〜１０のいずれか１項に記載の組成物。
【請求項１３】
前記慢性疼痛が、触覚異痛症である、請求項１２に記載の組成物。
【請求項１４】
前記慢性疼痛が、中枢神経系の外傷または脊髄損傷からもたらされる、請求項１〜１０までのいずれか１項に記載の組成物。
【請求項１５】
前記脊髄損傷が、該脊髄の圧縮である、請求項１〜１０のいずれか１項に記載の組成物。
【請求項１６】
前記組成物の投与が、軸索の再生および／または成長の、増加をもたらすことを特徴とする、請求項１〜１０のいずれか１項に記載の組成物。
【請求項１７】
前記組成物の投与が、ミエリン再生の増加をもたらすことを特徴とする、請求項１〜１０のいずれか１項に記載の組成物。
【請求項１８】
前記組成物が、さらに、薬学的に受容可能な希釈液またはキャリアを含む、請求項１〜１０のいずれか１項に記載の組成物。
【請求項１９】
前記組成物が、他の疼痛軽減薬物と併せて投与されることを特徴とする、請求項１〜１０のいずれか１項に記載の組成物。
【請求項２０】
前記他の疼痛軽減薬物が、ＮＳＡＩＤ、鎮痛剤、ステロイド、および抗癲癇薬物からなる群より選択される、請求項１９に記載の組成物。